(57)【要約】  優れた密封性能を有する鋼管用ねじ継手を提供する。鋼管用ねじ継手（１）は、ピン（１０）及びボックス（２０）を備える。ピン（１０）は、ノーズ部（１１）と、ピンショルダ面（１２）と、ピンシール面（１３）と、雄ねじ部（１４）とを有する。ボックス（２０）は、ボックスショルダ面（２２）と、ボックスシール面（２３）と、雌ねじ部（２４）とを有する。ピンシール面（１３）のうち締結過程でボックス（２０）の内周面に最初に接触する部分の位置をシール位置（Ｐ）、シール位置（Ｐ）から雄ねじ部（１４）のピンシール面（１３）側の端までの管軸方向の距離をｘ、ピン（１０）の先端から雄ねじ部（１４）のピンシール面（１３）側の端までの管軸方向の距離をＬとしたとき、ｘ／Ｌが０．４以上０．５５以下である。
2018216366.tif 000002
【特許請求の範囲】
【請求項１】
鋼管用ねじ継手であって、  鋼管本体につながって設けられた管状のピンと、  前記ピンが挿入されて前記ピンと締結される管状のボックスと、を備え、  前記ピンは、  前記ピンの先端部を構成するノーズ部と、  前記ノーズ部の先端面に設けられるピンショルダ面と、  前記ノーズ部よりも前記鋼管本体側において、前記ピンの外周面に設けられる雄ねじ部と、  前記ノーズ部と前記雄ねじ部との間において、前記ピンの外周面に設けられるピンシール面と、を有し、  前記ボックスは、  前記ピンショルダ面に対応して前記ボックスの内奥に設けられ、締結状態において前記ピンショルダ面と接触するボックスショルダ面と、  前記雄ねじ部に対応して前記ボックスの内周面に設けられる雌ねじ部と、  前記ピンシール面に対応して前記ボックスの内周面に設けられ、締結状態において前記ピンシール面と接触するボックスシール面と、を有し、  前記ノーズ部の外周面は、締結状態において前記ボックスの内周面と隙間を空けて対向し、  前記ねじ継手は０．４≦ｘ／Ｌ≦０．５５を満たす、ここで、ｘは、前記ピンシール面のうち締結過程で前記ボックスの内周面に最初に接触する位置であるシール位置と前記雄ねじ部の前記ピンシール面側の端との間の管軸方向の距離であり、Ｌは、前記ピンの先端と前記雄ねじ部の前記ピンシール面側の端との間の管軸方向の距離である、ねじ継手。
【請求項２】
請求項１に記載の鋼管用ねじ継手であって、  前記シール位置における前記ピンの横断面積は、前記鋼管本体の横断面積の３５％以上である、ねじ継手。
【発明の詳細な説明】
【技術分野】
【０００１】  本開示は、鋼管用ねじ継手に関する。
【背景技術】
【０００２】  例えば、油井や天然ガス井等（以下、総称して「油井」ともいう）の試掘又は生産、オイルサンドやシェールガス等の非在来型資源の開発、二酸化炭素の回収や貯留（ＣＣＳ（Carbon dioxide Capture and Storage））、地熱発電、あるいは温泉等では、油井管と呼ばれる鋼管が用いられる。鋼管同士の連結には、ねじ継手が用いられる。【０００３】  鋼管用ねじ継手の形式は、カップリング型とインテグラル型とに大別される。カップリング型の場合、連結対象の一対の管材のうち、一方の管材が鋼管であり、他方の管材がカップリングである。この場合、鋼管の両端部の外周面に雄ねじ部が形成され、カップリングの両端部の内周面に雌ねじ部が形成される。そして、鋼管の雄ねじ部がカップリングの雌ねじ部にねじ込まれ、これにより両者が締結されて連結される。インテグラル型の場合、連結対象の一対の管材がともに鋼管であり、別個のカップリングを用いない。この場合、鋼管の一端部の外周面に雄ねじ部が形成され、他端部の内周面に雌ねじ部が形成される。そして、一方の鋼管の雄ねじ部が他方の鋼管の雌ねじ部にねじ込まれ、これにより両者が締結されて連結される。【０００４】  一般に、雄ねじ部が形成された管端部の継手部分は、雌ねじ部に挿入される要素を含むことから、ピンと称される。一方、雌ねじ部が形成された管端部の継手部分は、雄ねじ部を受け入れる要素を含むことから、ボックスと称される。これらのピン及びボックスは、管材の端部であるため、いずれも管状である。【０００５】  ねじ継手には、内部からの流体の圧力（以下、「内圧」という）及び外部からの流体の圧力（以下、「外圧」という）に対して優れた密封性能が要求される。このため、ねじ継手には、メタル接触によるシール部が設けられる。シール部は、ピンシール面と、ピンシール面の径よりもわずかに小さい径を有するボックスシール面とで構成される。ピンシール面の径とボックスシール面の径との差をシール干渉量という。ねじ継手が締結されるとシール面同士が締まりばめの状態となり、ピンシール面の縮径及びボックスシール面の拡径が発生する。これらのシール面がそれぞれ元の径に戻ろうとする弾性回復力により、シール面が全周密着し、密封性能が発揮される。この時、シール干渉量が大きいほどシール面の接触圧が高くなり密封性能が高くなる。【０００６】  近年、高温高圧の過酷環境となる大深度の井戸の開発が増加している。これらの井戸で使用されるねじ継手には、特に優れた密封性能が要求される。【０００７】  優れた密封性能を発揮するねじ継手として、例えば特許文献１に開示されているように、ノーズ構造を有するねじ継手が知られている。特許文献１のねじ継手において、ピンは、先端側から鋼管本体側に向かって順に、ピンショルダ面、ピンシール面、及び雄ねじ部を備える。ボックスは、ボックスショルダ面、ボックスシール面、及び雌ねじ部を備える。ピンには、ノーズ部が設けられている。ノーズ部は、ピンショルダ面とピンシール面との間に位置づけられる。ノーズ部の外周面は、締結状態においてボックスに接触しない。ノーズ部は、ピンシール面の周辺の剛性を増加させる。よって、ねじ継手に外圧が負荷された場合であっても、ピンシール面の縮径変形が��じにくく、実質（実際）のシール干渉量の低下を抑制することができるため、外圧に対する密封性能を向上させることができる。【０００８】  特許文献２にも、ノーズ構造を有するねじ継手が開示されている。特許文献２には、ピンリップ部の長さをＬ、雄ねじ部の先端からシール位置までの距離をｘとしたとき、ｘ／Ｌを０．２〜０．８とするのが好適であることが記載されている。特許文献２において、シール位置は、ねじ結合の際にボックスシール面と最初に接触するピンリップ部の外周面上の部位である。【０００９】  本明細書は、以下の先行技術文献を引用により援用する。【特許文献１】特許４５３５０６４号公報
【特許文献２】特許５７７６２２２号公報
【開示の概要】
【００１０】  上記各特許文献に記載のねじ継手では、ノーズ構造によって密封性能の向上を図っている。しかしながら、これらのねじ継手の密封性能は、さらに向上する余地があると考えられる。
【００１１】  本開示は、優れた密封性能を有する鋼管用ねじ継手を提供することを目的とする。
【００１２】  本開示に係る鋼管用ねじ継手は、管状のピンと、管状のボックスとを備える。ピンは、鋼管本体につながって設けられている。ボックスは、ピンが挿入されてピンと締結される。ピンは、ノーズ部と、ピンショルダ面と、雄ねじ部と、ピンシール面とを有する。ノーズ部は、ピンの先端部を構成する。ピンショルダ面は、ノーズ部の先端面に設けられる。雄ねじ部は、ノーズ部よりも鋼管本体側において、ピンの外周面に設けられる。ピンシール面は、ノーズ部と雄ねじ部との間において、ピンの外周面に設けられる。ボックスは、ボックスショルダ面と、雌ねじ部と、ボックスシール面とを有する。ボックスショルダ面は、ピンショルダ面に対応してボックスの内奥に設けられる。ボックスショルダ面は、締結状態においてピンショルダ面と接触する。雌ねじ部は、雄ねじ部に対応してボックスの内周面に設けられる。ボックスシール面は、ピンシール面に対応してボックスの内周面に設けられる。ボックスシール面は、締結状態においてピンシール面と接触する。ノーズ部の外周面は、締結状態においてボックスの内周面と隙間を空けて対向する。ねじ継手は０．４≦ｘ／Ｌ≦０．５５を満たす。ここで、ｘは、ピンシール面のうち締結過程でボックスの内周面に最初に接触する位置であるシール位置と雄ねじ部のピンシール面側の端との間の管軸方向の距離であり、Ｌは、ピンの先端と雄ねじ部のピンシール面側の端との間の管軸方向の距離である。
【００１３】  本開示によれば、優れた密封性能を鋼管用ねじ継手に付与することができる。
【図面の簡単な説明】
【００１４】
【図１】図１は、ｘ／Ｌの値と外圧密封性能との関係を模式的に示すグラフである。
【図２】図２は、第１実施形態に係る鋼管用ねじ継手の概略構成を示す縦断面図である。
【図３】図３は、図１に示すねじ継手のピンの先端部分を示す縦断面図である。
【図４】図４は、第２実施形態に係る鋼管用ねじ継手の概略構成を示す縦断面図である。
【図５】図５は、図４に示すねじ継手のピンの先端部分を示す縦断面図である。
【図６】図６は、実施例及び比較例に係るねじ継手について、ｘ／Ｌの値と密封性能との関係を示すグラフである。
【発明を実施するための形態】
【００１５】  上記各特許文献に記載のねじ継手では、締結状態において、ピンショルダ面とボックスショルダ面との接触によってショルダ部が形成され、ピンシール面とボックスシール面との接触によってシール部が形成される。ショルダ部とシール部との間には、ノーズ部が配置されている。このため、ねじ継手に過大な圧縮荷重が加わってショルダ部が変形したとしても、その影響がシール部に及びにくい。その結果、良好な密封性能が維持される。
【００１６】  ノーズ部は、シール部の剛性を増加させる。このため、ねじ継手に外圧が負荷された場合であっても、シール部の縮径変形が生じにくく、実質のシール干渉量の低下を抑制することができる。よって、良好な外圧密封性能を得ることができる。
【００１７】  上述したように、特許文献２には、パラメータｘ／Ｌを０．２〜０．８とするのが好適であると記載されている。しかしながら、特許文献２では、ｘ／Ｌを０．２〜０．８とすることによる効果は検証されていない。特許文献２には、ｘ／Ｌ＝０．７であるねじ継手の実施例が開示されているのみである。しかも、これらの実施例は、ｘ／Ｌ＝０．７とすることによって何らかの効果が得られることを示すものではない。特許文献２に記載されているｘ／Ｌの範囲は、具体的な根拠に欠けるものである。
【００１８】  本発明者等が検討したところによれば、ｘ／Ｌの値の変化は、外圧密封性能の向上及び低下の双方に影響する。このため、最終的に得られる密封性能は、ｘ／Ｌの値が密封性能の向上に及ぼす影響の大きさと、ｘ／Ｌの値が密封性能の低下に及ぼす影響の大きさとのバランスによって決まると考えられる。以下、図１を参照しつつ具体的に説明する。
【００１９】  図１は、ｘ／Ｌの値と外圧密封性能との関係を模式的に示すグラフである。図１の線ａ１，ａ２は、外圧密封性能を向上又は低下させる要因別に、ｘ／Ｌの値と外圧密封性能との関係を示したものである。図１の線Ａは、線ａ１，ａ２を総合したものであり、ｘ／Ｌの値と最終的に得られる外圧密封性能との関係を示す。
【００２０】  まず、図１において線ａ１で示す関係について説明する。
【００２１】  ｘ／Ｌの値が大きくなると、ピンリップ部において、相対的にノーズ部の長さが短くなる。このため、シール部の剛性が低下する。また、ｘ／Ｌの値が大きい場合、ピンリップ部において、シール位置から雄ねじ部の前端までの距離は相対的に長くなる。すなわち、シール位置がねじのかみ合い部から離れることになるため、外圧が負荷されたときにシール部が縮径変形しやすくなる。よって、線ａ１で示すように、ｘ／Ｌの値が大きくなるにつれて外圧密封性能が低下していくと考えられる。
【００２２】  ｘ／Ｌの値が小さくなると、ノーズ部の長さが相対的に長くなり、シール位置から雄ねじ部の前端までの距離は相対的に短くなる。これにより、シール部の剛性が向上し、シール位置がねじのかみ合い部に近くなってシール部の縮径変形が生じにくくなる。よって、線ａ１で示すように、ｘ／Ｌの値が小さくなるにつれて外圧密封性能が向上すると考えられる。
【００２３】  次に、図１において線ａ２で示す関係について説明する。
【００２４】  上述したように、ｘ／Ｌの値が大きくなると、シール位置から雄ねじ部の前端までの距離が相対的に長くなる。これにより、シール位置がねじのかみ合い部から遠くなるため、ねじ部の干渉によるシール部の実質干渉量の減少が生じにくくなる。よって、線ａ２で示すように、ｘ／Ｌの値が大きくなるにつれて外圧密封性能が向上すると考えられる。ねじ部の干渉によるシール部の実質干渉量の減少が小さい場合、内圧密封性能も向上すると考えられる。
【００２５】  ｘ／Ｌの値が小さくなると、シール位置から雄ねじ部の前端までの距離が相対的に短くなり、シール位置がねじのかみ合い部に近くなる。このため、ねじ部の干渉によるシール部の実質干渉量の減少が生じやすくなる。よって、線ａ２で示すように、ｘ／Ｌの値が小さくなるにつれて外圧密封性能が低下する。このとき、内圧密封性能も低下すると考えられる。
【００２６】  このように、ｘ／Ｌの値の変化は、シール部の剛性、シール部の縮径変形の容易性、及びシール部の実質干渉量の減少に影響を及ぼす。最終的な密封性能は、図１において線Ａで示すように、シール部の剛性及びシール部の縮径変形の容易性に対するｘ／Ｌの影響（線ａ１）と、シール部の実質干渉量の減少に対するｘ／Ｌの影響（線ａ２）とを総合して定まることになる。本発明者等は、最終的に優れた密封性能を得るために最適なｘ／Ｌの範囲が存在すると考えた。
【００２７】  本発明者等は、ｘ／Ｌの最適範囲を検討した。その結果、本発明者等は、ｘ／Ｌが０．４以上であれば、ねじ部の干渉によってシール部の実質干渉量が減少することがほとんどなく、特に内圧に対して、良好な密封性能が得られることを見いだした。
【００２８】  本発明者等の検討結果によれば、外圧密封性能は、ｘ／Ｌが大きくなるにつれて低下する傾向にある。本発明者等は、ｘ／Ｌが０．５５以下であれば、ノーズ部の長さの減少によるシール部の剛性低下という悪影響よりも、ねじ部の干渉によるシール部の実質干渉量の減少抑制という効果の方が大きく、特に外圧密封性能が向上することを見いだした。
【００２９】  本発明者等は、以上の知見に基づいて、実施形態に係る鋼管用ねじ継手を完成させた。
【００３０】  実施形態に係る鋼管用ねじ継手は、管状のピンと、管状のボックスとを備える。ピンは、鋼管本体につながって設けられている。ボックスは、ピンが挿入されてピンと締結される。ピンは、ノーズ部と、ピンショルダ面と、雄ねじ部と、ピンシール面とを有する。ノーズ部は、ピンの先端部を構成する。ピンショルダ面は、ノーズ部の先端面に設けられる。雄ねじ部は、ノーズ部よりも鋼管本体側において、ピンの外周面に設けられる。ピンシール面は、ノーズ部と雄ねじ部との間において、ピンの外周面に設けられる。ボックスは、ボックスショルダ面と、雌ねじ部と、ボックスシール面とを有する。ボックスショルダ面は、ピンショルダ面に対応してボックスの内奥に設けられる。ボックスショルダ面は、締結状態においてピンショルダ面と接触する。雌ねじ部は、雄ねじ部に対応してボックスの内周面に設けられる。ボックスシール面は、ピンシール面に対応してボックスの内周面に設けられる。ボックスシール面は、締結状態においてピンシール面と接触する。ノーズ部の外周面は、締結状態においてボックスの内周面と隙間を空けて対向する。ねじ継手は０．４≦ｘ／Ｌ≦０．５５を満たす。ここで、ｘは、ピンシール面のうち締結過程でボックスの内周面に最初に接触する位置であるシール位置と雄ねじ部のピンシール面側の端との間の管軸方向の距離であり、Ｌは、ピンの先端と雄ねじ部のピンシール面側の端との間の管軸方向の距離である（第１の構成）。
【００３１】  第１の構成によれば、ｘ／Ｌが０．４以上０．５５以下に設定されている。ｘ／Ｌが０．４以上０．５５以下の範囲にあれば、良好な内圧密封性能を維持しつつ、外圧密封性能を向上させることができる。よって、ねじ継手に対し、優れた密封性能を付与することができる。
【００３２】  上記ねじ継手において、シール位置におけるピンの横断面積は、鋼管本体の横断面積の３５％以上であってもよい（第２の構成）。
【００３３】  第２の構成によれば、ピンシール面及びボックスシール面で構成されるシール部の横断面積を十分に確保することができる。このため、ピンリップ部について、高い剛性を維持することができる。よって、外圧密封性能をさらに向上させることができる。
【００３４】  以下、実施形態について図面を参照しつつ説明する。図中同一及び相当する構成については同一の符号を付し、同じ説明を繰り返さない。説明の便宜上、各図において、構成を簡略化又は模式化して示したり、一部の構成を省略して示したりする場合がある。
【００３５】  ［第１実施形態］  図２は、第１実施形態に係る鋼管用ねじ継手１の概略構成を示す縦断面図である。縦断面とは、ねじ継手１の管軸ＣＬを含む平面で切断した断面である。横断面とは、管軸ＣＬに垂直な平面で切断した断面をいう。本実施形態は、インテグラル型のねじ継手に適用することもできるし、カップリング型のねじ継手に適用することもできる。
【００３６】  図２に示すように、ねじ継手１は、管状のピン１０と、管状のボックス２０とを備える。ボックス２０にはピン１０が挿入され、ピン１０とボックス２０とが締結される。
【００３７】  ピン１０は、鋼管本体２につながって設けられている。鋼管本体２とは、ピン１０を含む鋼管においてボックス２０に挿入されない部分である。鋼管は、例えば、鋼管である。以下、説明の便宜上、ピン１０の管軸方向において、ピン１０の先端側を前側、鋼管本体２側を後側と称する場合がある。
【００３８】  ピン１０は、ノーズ部１１と、ピンショルダ面１２と、ピンシール面１３と、雄ねじ部１４とを有する。ピンショルダ面１２、ノーズ部１１、ピンシール面１３、及び雄ねじ部１４は、ピン１０の前方から後方に向かってこの順で配置されている。ピン１０のうち、雄ねじ部１４よりも前方の部分をピンリップ部１５と称する。ピンリップ部１５は、ノーズ部１１、ピンショルダ面１２、及びピンシール面１３を含む。
【００３９】  ノーズ部１１は、ピン１０の先端部分を構成する。ノーズ部１１は、筒状をなす。ノーズ部１１の外周面の形状は、円筒の外周面に相当する形状、又はピン１０の先端側に向かって外径が小さくなる円錐台の外周面に相当する形状とすることができる。ノーズ部１１の外周面は、上記円筒の外周面及び／又は円錐台の外周面と、円弧等の曲線を管軸ＣＬ周りに回転して得られる回転体の外周面とを組み合わせた形状を有していてもよい。
【００４０】  ノーズ部１１の先端面、つまりピン１０の先端面には、ピンショルダ面１２が設けられる。ピンショルダ面１２は、ピン１０の先端面の一部又は全部を構成する。ピンショルダ面１２は、管軸方向と交差するように配置された環状面である。ピンショルダ面１２は、外周部が内周部よりも前方に位置するように、管軸ＣＬに垂直な面に対して傾倒している。ピンショルダ面１２は、管軸ＣＬに対して実質的に垂直であってもよい。
【００４１】  ピンシール面１３は、ノーズ部１１よりも鋼管本体２側に配置されている。ピンシール面１３は、ピン１０の外周面に設けられる。ピンシール面１３は、ノーズ部１１に隣接して設けられる。
【００４２】  ピンシール面１３は、テーパ面及び／又は曲面を含む。例えば、ピンシール面１３は、ピン１０の先端側に向かって外径が小さくなる円錐台の外周面に相当する形状、又は、円弧等の曲線を管軸ＣＬ周りに回転して得られる回転体の外周面に相当する形状を有する。ピンシール面１３は、上記円錐台の外周面及び回転体の外周面を組み合わせた形状を有していてもよい。
【００４３】  ピンリップ部１５の外周面は、単一のテーパ面であってもよいし、複数のテーパ面を含んでいてもよい。ピンリップ部１５の外周面が複数のテーパ面を含む態様において、ピンシール面１３が実質的にテーパ面で構成されている場合、ノーズ部１１の外周面は、ピンシール面１３のテーパ角よりも小さい（緩い）又は大きい（急な）テーパ角を有するテーパ面で構成することができる。
【００４４】  本実施形態では、ピンリップ部１５の外周面は、複数のテーパ面で構成されている。具体的に説明すると、ノーズ部１１の外周面は、実質的にテーパ面である。ピンシール面１３も、実質的にテーパ面である。ノーズ部１１の外周面のテーパ角は、ピンシール面１３のテーパ角よりも小さい。ピンリップ部１５の外周面の勾配は、ノーズ部１１とピンシール面１３との境界部分で変化している。ピンシール面１３は、ノーズ部１１の外周面と曲面を介して設けられていてもよい。
【００４５】  ピンリップ部１５の外周面のうちピンシール面１３よりも後方の部分は、実質的に、ピンシール面１３よりもテーパ角が小さいテーパ面である。ピンリップ部１５の外周面の勾配は、上記後方部分とピンシール面１３との境界部分で変化している。ピンシール面１３は、当該後方部分と曲面を介して設けられていてもよい。あるいは、上記後方部分とピンシール面１３は単一のテーパ面であってもよい。
【００４６】  ノーズ部１１の外周面、及び／又はピンリップ部１５の外周面のうちピンシール面１３よりも後方の部分は、円筒の外周面で構成されていてもよい。
【００４７】  図２において、ピンシール面１３のシール位置Ｐから雄ねじ部１４の前端までの管軸方向の距離をｘ、ピン１０の先端から雄ねじ部１４の前端までの管軸方向の距離をＬで表す。距離Ｌは、ピンリップ部１５の長さである。シール位置Ｐ及び距離ｘ，Ｌについては、後で詳しく説明する。
【００４８】  雄ねじ部１４は、管軸方向においてピンリップ部１５の後方に配置される。雄ねじ部１４は、ピン１０の外周面に設けられる。雄ねじ部１４は、テーパねじで構成されている。
【００４９】  ボックス２０は、ノーズ受部２１と、ボックスショルダ面２２と、ボックスシール面２３と、雌ねじ部２４とを備える。以下、説明の便宜上、ボックス２０の管軸方向において、ボックス２０が設けられている鋼管又はカップリングの管端側を外側、その反対側を内側又は奥側と称する場合がある。ボックスショルダ面２２、ノーズ受部２１、ボックスシール面２３、及び雌ねじ部２４は、ボックス２０の内側から外側に向かってこの順で配置されている。
【００５０】  ノーズ受部２１は、ボックス２０のうち、ピン１０のノーズ部１１に対応する部分である。ノーズ受部２１は、ボックスの奥端部分を構成する。締結状態において、ノーズ受部２１の内周面は、ノーズ部１１の外周面と隙間を空けて対向する。すなわち、締結状態において、ノーズ部１１の外周面はボックス２０の内周面に接触しない。
【００５１】  ノーズ受部２１の内周面の形状は、特に限定されるものではない。ノーズ受部２１の内周面は、円筒の内周面で構成されていてもよいし、ボックス２０の奥側に向かって内径が小さくなるテーパ面で構成されていてもよい。ノーズ受部２１の内周面は、上記円筒の内周面及び／又はテーパ面と、円弧等の曲線を管軸ＣＬ周りに回転して得られる回転体の内周面とを組み合わせた形状を有していてもよい。
【００５２】  ボックスショルダ面２２は、ピンショルダ面１２に対応して、ボックス２０の内奥に設けられる。ボックスショルダ面２２は、ピンショルダ面１２と同様、管軸方向と交差するように配置された環状面である。
【００５３】  ボックスショルダ面２２は、締結状態においてピンショルダ面１２に接触して、ピンショルダ面１２とともにショルダ部を形成する。ピンショルダ面１２及びボックスショルダ面２２は、ピン１０のねじ込みを制限するストッパの役割を担う。ピンショルダ面１２及びボックスショルダ面２２は、継手内部において、ねじの締め付け軸力を発生させる役割を担う。
【００５４】  ボックスシール面２３は、管軸方向においてノーズ受部２１よりも外側に配置される。ボックスシール面２３は、ピンシール面１３に対応して、ボックス２０の内周面に設けられる。
【００５５】  ピンシール面１３及びボックスシール面２３は、干渉量を有する。すなわち、非締結状態において、ピンシール面１３は、ボックスシール面２３の径よりもわずかに大きい径を有する。ピンシール面１３及びボックスシール面２３は、締結状態では嵌め合い密着して締まりばめの状態となる。ピンシール面１３及びボックスシール面２３は、締結状態においてメタル接触によるシール部を形成する。
【００５６】  ボックスシール面２３は、ピンシール面１３に向かって突出した形状を有する。ただし、ボックスシール面２３は、ピンシール面１３に向かって突出していなくてもよい。ボックスシール面２３は、締結状態において少なくとも一部がピンシール面１３に密着可能であればよい。ボックスシール面２３は、様々な形状に形成することができる。
【００５７】  雌ねじ部２４は、雄ねじ部１４に対応して、ボックス２０の内周面に設けられる。雌ねじ部２４は、雄ねじ部１４を構成するテーパねじと噛み合うテーパねじで構成されている。締結状態において、雌ねじ部２４は、雄ねじ部１４とともにねじ部を形成する。
【００５８】  雄ねじ部１４及び雌ねじ部２４の各荷重面は、０°未満のフランク角を有する。特に限定されるものではないが、雄ねじ部１４及び雌ねじ部２４は、台形ねじで構成することができる。雄ねじ部１４及び雌ねじ部２４は、１条ねじ又は２条ねじで構成されることが好ましい。
【００５９】  図３は、ピン１０の先端部分を拡大して示した縦断面図である。
【００６０】  図３に示すように、ピン１０の縦断面視において、雄ねじ部１４の前端部分のねじ山は、その一部が切り取られた不完全な形状を有する。当該ねじ山には、ピン１０の先端側且つ内周側に向かって傾斜する斜面であるベベル１４ａが形成されている。ピン１０の縦断面視において、ベベル１４ａの延長線Ｌ１４と、ピンリップ部１５の外周面のうちベベル１４aに隣接する部分１５ａの延長線Ｌ１５との交点を、雄ねじ部１４の前端と定義する。
【００６１】  シール位置Ｐは、ピンシール面１３のうち、締結過程においてボックス２０（図２）の内周面に最初に接触する部分の位置である。上述した通り、Ｌは、ピン１０の最先端から雄ねじ部１４の前端までの管軸方向の距離である。ｘは、シール位置Ｐから雄ねじ部１４の前端までの管軸方向の距離である。
【００６２】  本実施形態では、ｘ／Ｌの値が所定の範囲内となるように、ピンリップ部１５の長さＬ、及びシール位置Ｐから雄ねじ部１４の前端までの距離ｘが設定される。具体的には、ｘ／Ｌは、０．４以上０．５５以下であり、好ましくは０．４以上０．５未満である。長さＬの値及び距離ｘの値は、それぞれ、非締結状態における値とする。
【００６３】  シール位置Ｐにおけるピン１０の横断面積は、鋼管本体２（図２）の横断面積の好ましくは３５％以上であり、より好ましくは５０％以上である。シール位置Ｐにおけるピン１０の横断面積の上限は、例えば、鋼管本体２の横断面積の７０％である。
【００６４】  ［第２実施形態］  図４は、第２実施形態に係る鋼管用ねじ継手１Ａの概略構成を示す縦断面図である。図５は、ねじ継手１Ａにおけるピン１０Ａの先端部分を拡大して示した縦断面図である。ねじ継手１Ａは、インテグラル型のねじ継手であってもよいし、カップリング型のねじ継手であってもよい。
【００６５】  本実施形態に係るねじ継手１Ａは、ピンリップ部１５Ａ、及びピンリップ部１５Ａに対応するボックス２０Ａの一部を除き、第１実施形態に係るねじ継手１と同様の構成を有する。本実施形態では、第１実施形態との相違点を中心に説明する。
【００６６】  図４及び図５に示すように、ピンリップ部１５Ａの外周面は、凸曲面１５ｂで構成されている。すなわち、ピンリップ部１５Ａの外周面は、ボックス２０Ａ側に突出する曲面である。ピンリップ部１５Ａの外周面は、全体に亘ってその曲率が急激に変化しない、滑らかな連続面である。ピンリップ部１５Ａの外周面は単一曲率の凸曲面でもよいし、複数の曲面を含んでいてもよい。
【００６７】  図５に示すように、ピン１０Ａの縦断面視において、雄ねじ部１４の前端部分のねじ山は、その一部が切り取られた不完全な形状を有する。当該ねじ山には、ピン１０の先端側且つ内周側に向かって傾斜する斜面であるベベル１４ａが形成されている。ピン１０の縦断面視において、ベベル１４ａの延長線Ｌ１４と、ピンリップ部１５の外周面の凸曲面１５ｂの延長線Ｌ１５との交点を、雄ねじ部１４の前端と定義する。
【００６８】  ボックス２０Ａの内周面のうちピンリップ部１５Ａに対応する部分は、ピンリップ部１５Ａの外周面に対応した形状を有する。すなわち、ボックス２０Ａの内周面のうちピンリップ部１５Ａに対応する部分は、締結状態において、ボックスシール面２３Ａがピンシール面１３Ａに接触し、且つノーズ受部２１Ａがノーズ部１１Ａに接触しない形状に形成される。
【００６９】  ボックスシール面２３Ａは、テーパ面を有する。ただし、ボックスシール面２３Ａの形状は、これに限定されるものではない。上述した通り、ボックスシール面２３Ａは、様々な形状を有することができる。
【００７０】  本実施形態に係るねじ継手１Ａにおいても、第１実施形態と同様、ｘ／Ｌは、０．４以上０．５５以下、好ましくは０．４以上０．５未満に設定される。
【００７１】  シール位置Ｐにおけるピン１０Ａの横断面積は、鋼管本体２（図４）の横断面積の好ましくは３５％以上であり、より好ましくは５０％以上である。シール位置Ｐにおけるピン１０Ａの横断面積の上限は、例えば、鋼管本体２の横断面積の７０％である。
【００７２】  ［実施形態の効果］  上述したように、ｘ／Ｌの値が大きくなると、ノーズ部１１，１１Ａの長さが相対的に短くなってシール部の剛性の低下が生じやすくなり、ねじのかみ合い部からシール部までの距離が相対的に長くなってシール部の縮径変形が生じやすくなる。その一方で、ｘ／Ｌの値が大きくなると、ねじ部の干渉によるシール部の実質干渉量の減少は生じにくくなる。すなわち、ｘ／Ｌの値が大きい場合、シール部の剛性及びシール部の縮径変形という観点では外圧密封性能が低下すると考えられるが、シール部の実質干渉量という観点では外圧密封性能及び内圧密封性能が向上すると考えられる。
【００７３】  ｘ／Ｌの値が小さくなると、シール部の剛性の低下及びシール部の縮径変形は生じにくくなるが、ねじ部の干渉によるシール部の実質干渉量の減少が生じやすくなる。ｘ／Ｌの値が小さい場合、シール部の剛性及びシール部の縮径変形という観点では外圧密封性能が向上すると考えられるが、シール部の実質干渉量という観点では外圧密封性能及び内圧密封性能が低下すると考えられる。
【００７４】  このように、ｘ／Ｌの値の変化は、密封性能の向上及び低下の双方に影響を及ぼす。最終的な密封性能は、ｘ／Ｌの値の密封性能向上に対する影響と密封性能低下に対する影響とのバランスで定まる。
【００７５】  ｘ／Ｌが０．４よりも小さい場合、雄ねじ部１４の前端からシール位置Ｐまでの距離ｘが短くなり、ねじ部とシール部との距離が近くなって、ねじ部の干渉がシール部の実質干渉量の低下を引き起こす。ｘ／Ｌが０．４よりも小さい場合、ねじ部の干渉によるシール部の実質干渉量の低下の影響が大きいため、特に内圧密封性能が低下する。
【００７６】  ｘ／Ｌが０．５５よりも大きい場合、ノーズ部１１，１１Ａの長さが相対的に短くなることによるシール部の剛性の低下の影響、及びシール部がねじのかみ合い部から離れることによるシール部の縮径変形の容易化の影響が大きくなる。このため、特に外圧密封性能が低下する。
【００７７】  上記各実施形態に係るねじ継手１，１Ａは、ｘ／Ｌが０．４以上０．５５以下となるように構成されている。このため、ｘ／Ｌの値が密封性能の向上に及ぼす影響と密封性能の低下に及ぼす影響とが好ましいバランスとなり、外圧密封性能及び内圧密封性能をともに向上させることができる。
【００７８】  上記各実施形態に係るねじ継手１，１Ａにおいて、シール位置Ｐにおけるピン１０，１０Ａの横断面積は、好ましくは鋼管本体２の横断面積の３５％以上とされる。これにより、シール部の横断面積を十分に確保することができるため、ピンリップ部１５，１５Ａについて高い剛性を維持することができる。よって、外圧密封性能をさらに向上させることができる。
【００７９】  シール部の剛性が高すぎる場合、締結中に焼付きが発生する可能性が高くなる。締結中の焼付きの発生を抑制するため、上記各実施形態に係るねじ継手１，１Ａにおいて、位置Ｐにおけるピン１０，１０Ａの横断面積は、好ましくは鋼管本体２の横断面積の７０％以下とされる。
【００８０】  以上、実施形態について説明したが、本開示は上記実施形態に限定されるものではなく、その趣旨を逸脱しない限りにおいて種々の変更が可能である。
【００８１】  本開示に係る鋼管用ねじ継手による効果を確認するため、弾塑性有限要素法による数値シミュレーション解析を実施した。
【００８２】  ［試験条件］  パラメータｘ／Ｌが異なる複数の供試体について、有限要素解析を実施して性能の差を比較した。各供試体は、図１に示す基本構造を有するカップリング型のねじ継手である。共通の試験条件を以下に示す。（１）鋼管の寸法  ７”ｘ２９＃（外径：１７７．８ｍｍ，肉厚：１０．４ｍｍ）（２）鋼管のグレード  ＡＰＩ規格のＰ１１０（公称降伏応力が１１０ｋｓｉの炭素鋼）（３）ねじの寸法（全てのねじで共通の条件）  ねじピッチ：５．０８ｍｍ，荷重面のフランク角：−３°，挿入面のフランク角：１０°，挿入面すき間：０．１５ｍｍ
【００８３】  有限要素解析では、材料を等方硬化の弾塑性体とし、弾性係数を２１０ＧＰａ、０．２％耐力として降伏強度が１１０ｋｓｉ（７５８．３ＭＰａ）になるように、各供試体をモデル化したものを使用した。
【００８４】  ［評価方法］  各供試体に対してねじの締め付けの解析を行った後、ＩＳＯ１３６７９  ＣＡＬ４  Ｓｅｒｉｅｓ  Ａ試験を模擬した荷重を負荷し、外圧及び内圧に対する密封性能を評価した。内外圧に対する密封性能は、それぞれ、荷重履歴の内圧サイクル（第１，第２象限）及び荷重履歴の外圧サイクル（第３，第４象限）におけるシール部の周方向の単位長さ当たりの接触力の最小値によって評価した。接触力の最小値が大きいほど密封性能が優れていることを意味する。
【００８５】  表１に、各供試体の試験条件及び評価を示す。図６は、各供試体のｘ／Ｌの値及び内外圧に対する密封性能をプロットしたグラフである。
【００８６】
【表１】
2018216366.tif 000003
【００８７】  密封性能は、供試体＃１０（ｘ／Ｌ＝０．７）の性能を１．００とした相対値を用いて、以下の３水準で評価した。  ・優：内圧サイクルにおける接触力（内圧密封性能）が１．００以上  且つ  外圧サイクルにおける接触力（外圧密封性能）が１．１０以上  ・良：内圧密封性能が１．００以上  且つ  外圧密封性能が１．０５以上  ・不可：内圧密封性能が１．００未満  又は  外圧密封性能が１．０５未満
【００８８】  供試体＃４〜８は本開示の範囲内の実施例であり、供試体＃１〜３，９〜１０は本開示の範囲外の比較例である。すなわち、供試体＃４〜８では、ｘ／Ｌが０．４以上及び０．５５以下であり、供試体＃１〜３，９〜１０では、ｘ／Ｌが０．４未満又は０．５５よりも大きい。
【００８９】  表１及び図６に示すように、供試体＃１〜３では、ｘ／Ｌが０．４未満であったため、ねじ部とシール部の距離が近く、ねじの干渉がシール部の実質干渉量の低下を引き起こした。よって、供試体＃１〜３では、内圧密封性能が１．００未満となり、不芳であった。
【００９０】  表１及び図６に示すように、供試体＃４〜８では、ｘ／Ｌが０．４以上であったため、ねじ部とシール部との距離が十分離れており、ねじ部の干渉がシール部の実質干渉量の低下を引き起こさなかった。よって、供試体＃４〜８では、内圧密封性能が１．００以上となり、良好であった。
【００９１】  また、供試体＃４〜８では、ｘ／Ｌを０．５５以下としたことにより、シール部の近傍でねじ部が十分にかみ合い、外圧が負荷されてもシール部が縮径しにくかった。よって、供試体＃４〜８では、外圧密封性能が１．０５以上となり、良好であった。
【００９２】  ｘ／Ｌが０．４以上０．５未満の供試体＃４〜６については、特に優れた外圧密封性能を得ることができた。供試体＃４〜６では、外圧密封性能が１．１０以上となり、非常に良好であった。
【００９３】  表１及び図６に示すように、供試体＃９〜１０では、ｘ／Ｌが０．５５よりも大きかったため、ねじ部とシール部の距離が十分に離れており、ねじ部の干渉によるシール部の実質干渉量の低下が生じなかった。よって、供試体＃９〜１０の内圧密封性能には、特に問題はなかった。
【００９４】  しかしながら、ｘ／Ｌが０．５５よりも大きい供試体＃９〜１０では、シール部とねじのかみ合い部との距離が遠いため、外圧が負荷されたときにシール部の縮径変形が生じやすくなった。よって、供試体＃９〜１０では、外圧密封性能が１．０５未満となり、不芳であった。
【００９５】  以上のように、ｘ／Ｌを０．４以上０．５５以下に設定することで、外圧及び内圧の双方について、優れた密封性能が得られることを確認することができた。また、ｘ／Ｌを０．４以上０．５未満とすれば、特に優れた外圧密封性能が得られることを確認することができた。
【図１】
2018216366.tif 000004
【図２】
2018216366.tif 000005
【図３】
2018216366.tif 000006
【図４】
2018216366.tif 000007
【図５】
2018216366.tif 000008
【図６】
2018216366.tif 000009
【国際調査報告】
2018216366.tif 000010
2018216366.tif 000011
2018216366.tif 000012
2018216366.tif 000013